(57)【特許請求の範囲】
【請求項１】
加熱した熱媒を熱媒循環路を通して端末に供給する熱源手段と、前記熱媒循環路を開閉して熱媒の供給を断続する開閉手段と、前記熱源手段の運転および前記開閉手段の開閉作動を制御する制御手段とが設けられ、
前記開閉手段を開状態に維持する開時間と前記開閉手段を閉状態に維持する閉時間との開閉比率を設定する開閉比率設定手段が、前記端末に対応して備えられ、
前記制御手段が、前記開閉比率設定手段にて設定された開閉比率設定情報に基づいて、単一周期における前記開閉比率を調整する形態で、周期的に前記開閉手段の開閉作動を制御するように構成されている熱媒供給システムであって、
前記制御手段は、前記熱源手段から前記端末に供給する熱媒の温度情報に基づいて、その温度が低いほど、前記閉時間に対して前記開時間が長くなるように、前記開閉比率設定情報を開閉比率修正情報に修正し、その開閉比率修正情報に基づいて、前記開閉手段の開閉作動を制御するように構成され、
前記熱源手段から前記端末に供給する熱媒の温度を変更する熱媒温度変更用ディップスイッチが設けられ、
前記制御手段が、前記熱媒温度変更用ディップスイッチにて変更される熱媒の温度情報に基づいて、前記開閉比率設定情報を前記開閉比率修正情報に修正するように構成されている熱媒供給システム。
【請求項２】
加熱した熱媒を熱媒循環路を通して端末に供給する熱源手段と、前記熱媒循環路を開閉して熱媒の供給を断続する開閉手段と、前記熱源手段の運転および前記開閉手段の開閉作動を制御する制御手段とが設けられ、
前記開閉手段を開状態に維持する開時間と前記開閉手段を閉状態に維持する閉時間との開閉比率を設定する開閉比率設定手段が、前記端末に対応して備えられ、
前記制御手段が、前記開閉比率設定手段にて設定された開閉比率設定情報に基づいて、単一周期における前記開閉比率を調整する形態で、周期的に前記開閉手段の開閉作動を制御するように構成されている熱媒供給システムであって、
前記制御手段は、前記熱源手段から前記端末に供給する熱媒の温度情報に基づいて、その温度が低いほど、前記閉時間に対して前記開時間が長くなるように、前記開閉比率設定情報を開閉比率修正情報に修正し、その開閉比率修正情報に基づいて、前記開閉手段の開閉作動を制御するように構成され、
前記熱源手段から前記端末に供給する熱媒の温度を変更する熱媒温度変更用ディップスイッチが設けられ、
前記熱源手段から前記端末に供給する熱媒の温度を検出する熱媒温度検出手段が設けられ、
前記制御手段が、前記熱媒温度検出手段により検出される熱媒の温度情報に基づいて、前記開閉比率設定情報を前記開閉比率修正情報に修正するように構成されている熱媒供給システム。
【請求項３】
前記制御手段が、前記端末における熱要求負荷を検出して、その熱要求負荷が大きいほど、前記閉時間に対して前記開時間が長くなるように、前記開閉比率設定情報を前記開閉比率修正情報に修正するように構成されている請求項１又は２に記載の熱媒供給システム。
【発明の詳細な説明】
【０００１】
【発明の属する技術分野】
本発明は、加熱した熱媒を熱媒循環路を通して端末に供給する熱源手段と、前記熱媒循環路を開閉して熱媒の供給を断続する開閉手段と、前記熱源手段の運転および前記開閉手段の開閉作動を制御する制御手段とが設けられ、前記開閉手段を開状態に維持する開時間と前記開閉手段を閉状態に維持する閉時間との開閉比率を設定する開閉比率設定手段が、前記端末に対応して備えられ、
前記制御手段が、前記開閉比率設定手段にて設定された開閉比率設定情報に基づいて、単一周期における前記開閉比率を調整する形態で、周期的に前記開閉手段の開閉作動を制御するように構成されている熱媒供給システムに関する。
【０００２】
【従来の技術】
上記のような熱媒供給システムは、開閉比率設定手段が、予め設定された複数の開閉比率のうち、端末に応じて人為操作により選択されたひとつの開閉比率を開閉比率設定情報として設定し、制御手段が、開閉比率設定手段にて設定された開閉比率設定情報に基づいて、単一周期における開閉比率を調整する形態で、周期的に開閉手段の開閉作動を制御することにより、熱源手段から端末への熱媒の供給を断続させながら、端末に熱媒を供給するものである。
【０００３】
この種の熱媒供給システムとしては、例えば、図３に示すように、熱源機内流路３８を通流する熱媒をバーナ３１の燃焼により加熱し、その加熱された熱媒を熱媒循環路３２を通して端末３３に供給する熱源機３４、その熱源機３４の運転および開閉手段３５の開閉作動を制御する制御手段としての熱源機側制御部３６、その熱源機側制御部３６と通信自在に構成された開閉比率設定手段としての端末側制御部３７などが設けられている。
そして、端末側制御部３７は、熱源機３４から端末３３に供給する熱媒の温度が熱媒供給温度（例えば、６０℃）の一定温度であるとし、その熱媒供給温度を基に予め設定された複数の開閉比率のうち、スイッチなどの人為操作により選択されたひとつの開閉比率を開閉比率設定情報として設定し、その設定された開閉比率設定情報を熱源機側制御部３６に送信するように構成されている。
また、熱源機側制御部３６は、熱源機３４から端末３３に供給する熱媒の温度が熱媒供給温度になるように熱源機３４の運転を制御するとともに、熱媒供給温度を基にして設定された開閉比率設定情報に基づいて、単一周期における開閉比率を調整する形態で、周期的に開閉手段３５の開閉作動を制御することにより、熱源機３４から端末３３への熱媒の供給を断続させながら、熱源機３４から端末３３に熱媒を供給するようにしている。
【０００４】
【発明が解決しようとする課題】
しかしながら、上記従来の熱媒供給システムでは、制御手段が、熱媒供給温度を基に設定された開閉比率設定情報に基づいて、周期的に開閉手段の開閉作動を制御するようにしているので、熱源手段から端末に供給する熱媒の温度が熱媒供給温度と異なる温度になると、熱源手段から端末に対して端末に応じた所望の熱量を供給できない虞がある。
【０００５】
説明を加えると、熱媒供給温度を基に設定された開閉比率設定情報に基づいて、周期的に開閉手段の開閉作動を制御したときに、熱源手段から端末に供給する熱媒の温度が熱媒供給温度よりも低い温度になると、端末に所望の熱量が供給されていないにもかかわらず、熱源手段から端末に熱媒に供給されず、逆に、熱源手段から端末に供給する熱媒の温度が熱媒供給温度よりも高い温度になると、端末に所望の熱量が供給されているにもかかわらず、熱源手段から端末に熱媒が供給されて、熱源手段から端末に対して端末に応じた所望の熱量を供給できないことになる。
【０００６】
ちなみに、熱源手段に循環される熱媒の温度が変化したり、熱源手段における加熱量が変化するときに、熱源手段から端末に供給する熱媒の温度が熱媒供給温度と異なる温度となる。
また、熱源手段から床暖房装置に熱媒を供給する場合には、床暖房の快適性の観点から、熱源手段から端末に供給する熱媒の温度を熱媒供給温度（例えば、６０℃）よりも低い温度（例えば、５０℃）に変更させることが望まれており、この要望に応えるべく、熱源手段から端末に供給する熱媒の温度を熱媒供給温度よりも低い温度などに変更すると、熱源手段から端末に供給する熱媒の温度が熱媒供給温度と異なる温度となる。
【０００７】
本発明は、かかる点に着目してなされたものであり、その目的は、熱源手段から端末に供給する熱媒の温度が変化しても、熱源手段から端末に対して端末に応じた所望の熱量を供給することが可能となる熱媒供給システムを提供する点にある。
【０００８】
【課題を解決するための手段】
この目的を達成するために、請求項１に記載の発明によれば、加熱した熱媒を熱媒循環路を通して端末に供給する熱源手段と、前記熱媒循環路を開閉して熱媒の供給を断続する開閉手段と、前記熱源手段の運転および前記開閉手段の開閉作動を制御する制御手段とが設けられ、前記開閉手段を開状態に維持する開時間と前記開閉手段を閉状態に維持する閉時間との開閉比率を設定する開閉比率設定手段が、前記端末に対応して備えられ、
前記制御手段が、前記開閉比率設定手段にて設定された開閉比率設定情報に基づいて、単一周期における前記開閉比率を調整する形態で、周期的に前記開閉手段の開閉作動を制御するように構成されている熱媒供給システムにおいて、
前記制御手段は、前記熱源手段から前記端末に供給する熱媒の温度情報に基づいて、その温度が低いほど、前記閉時間に対して前記開時間が長くなるように、前記開閉比率設定情報を開閉比率修正情報に修正し、その開閉比率修正情報に基づいて、前記開閉手段の開閉作動を制御するように構成されている。
【０００９】
すなわち、制御手段が、開閉比率設定手段にて設定された開閉比率設定情報を、熱源手段から端末に供給する熱媒の温度情報に基づいて、その温度が低いほど、閉時間に対して開時間が長くなるように、開閉比率修正情報に修正し、その修正された開閉比率修正情報に基づいて、単一周期における開閉比率を調整する形態で、周期的に開閉手段の開閉作動を制御することが可能となるので、制御手段が、熱源手段から端末に供給する熱媒の温度が変化しても、その変化した熱媒の温度情報に対応して修正された開閉比率修正情報に基づいて、開閉手段の開閉作動を制御することが可能となる。
したがって、熱源手段から端末に供給する熱媒の温度が変化しても、その変化した熱媒の温度に対応した状態で、熱源手段から端末への熱供給を断続させることが可能となって、熱源手段から端末に供給する熱媒の温度が変化しても、熱源手段から端末に対して端末に応じた所望の熱量を供給することが可能となる熱媒供給システムを提供できるに至った。
【００１０】
又、請求項１に記載の発明によれば、前記熱源手段から前記端末に供給する熱媒の温度を変更する熱媒温度変更用ディップスイッチが設けられ、前記制御手段が、前記熱媒温度変更用ディップスイッチにて変更される熱媒の温度情報に基づいて、前記開閉比率設定情報を前記開閉比率修正情報に修正するように構成されている。
【００１１】
すなわち、制御手段が、熱媒温度変更用ディップスイッチにて人為的に変更される熱媒の温度情報に基づいて、開閉比率設定情報を開閉比率修正情報に修正することが可能となるので、制御手段が、実際に変更された熱媒の温度に対応した状態で、開閉比率設定情報を開閉比率修正情報に修正することが可能となる。
したがって、熱源手段から端末に供給する熱媒の温度が変更されても、その変更された熱媒の温度情報に対応した状態で、熱源手段から端末への熱供給を断続させることが可能となって、熱源手段から端末に対して端末に応じた所望の熱量を的確に供給することが可能となる。
【００１２】
請求項２に記載の発明によれば、加熱した熱媒を熱媒循環路を通して端末に供給する熱源手段と、前記熱媒循環路を開閉して熱媒の供給を断続する開閉手段と、前記熱源手段の運転および前記開閉手段の開閉作動を制御する制御手段とが設けられ、前記開閉手段を開状態に維持する開時間と前記開閉手段を閉状態に維持する閉時間との開閉比率を設定する開閉比率設定手段が、前記端末に対応して備えられ、前記制御手段が、前記開閉比率設定手段にて設定された開閉比率設定情報に基づいて、単一周期における前記開閉比率を調整する形態で、周期的に前記開閉手段の開閉作動を制御するように構成されている熱媒供給システムにおいて、前記制御手段は、前記熱源手段から前記端末に供給する熱媒の温度情報に基づいて、その温度が低いほど、前記閉時間に対して前記開時間が長くなるように、前記開閉比率設定情報を開閉比率修正情報に修正し、その開閉比率修正情報に基づいて、前記開閉手段の開閉作動を制御するように構成され、前記熱源手段から前記端末に供給する熱媒の温度を変更する熱媒温度変更用ディップスイッチが設けられ、前記熱源手段から前記端末に供給する熱媒の温度を検出する熱媒温度検出手段が設けられ、前記制御手段が、前記熱媒温度検出手段により検出される熱媒の温度情報に基づいて、前記開閉比率設定情報を前記開閉比率修正情報に修正するように構成されている。
【００１３】
すなわち、制御手段が、開閉比率設定手段にて設定された開閉比率設定情報を、熱源手段から端末に供給する熱媒の温度情報に基づいて、その温度が低いほど、閉時間に対して開時間が長くなるように、開閉比率修正情報に修正し、その修正された開閉比率修正情報に基づいて、単一周期における開閉比率を調整する形態で、周期的に開閉手段の開閉作動を制御することが可能となるので、制御手段が、熱源手段から端末に供給する熱媒の温度が変化しても、その変化した熱媒の温度情報に対応して修正された開閉比率修正情報に基づいて、開閉手段の開閉作動を制御することが可能となる。
したがって、熱源手段から端末に供給する熱媒の温度が変化しても、その変化した熱媒の温度に対応した状態で、熱源手段から端末への熱供給を断続させることが可能となって、熱源手段から端末に供給する熱媒の温度が変化しても、熱源手段から端末に対して端末に応じた所望の熱量を供給することが可能となる熱媒供給システムを提供できるに至った。
又、制御手段が、実際に熱源手段から端末に供給される熱媒の温度情報に基づいて、開閉比率設定情報を開閉比率修正情報に修正することが可能となるので、制御手段が、実際に端末に供給される熱媒の温度に対応した状態で、開閉比率設定情報を開閉比率修正情報に修正することが可能となる。
したがって、熱源手段から端末に供給する熱媒の温度が変化しても、その変化した熱媒の温度情報に対応した状態で、熱源手段から端末への熱供給を断続させることが可能となって、熱源手段から端末に対して端末に応じた所望の熱量を精度よく供給することが可能となる。
【００１４】
請求項３に記載の発明によれば、前記制御手段が、前記端末における熱要求負荷を検出して、その熱要求負荷が大きいほど、前記閉時間に対して前記開時間が長くなるように、前記開閉比率設定情報を前記開閉比率修正情報に修正するように構成されている。
【００１５】
すなわち、制御手段が、開閉比率設定手段にて設定された開閉比率設定情報を、実際の端末における熱要求負荷が大きいほど、閉時間に対して開時間が長くなるように、開閉比率修正情報に修正することが可能となるので、制御手段が、端末における熱要求負荷が変化しても、その変化した熱要求負荷に対応して修正された開閉比率修正情報に基づいて、開閉手段の開閉作動を制御することが可能となる。
したがって、端末における熱要求負荷が変化しても、その変化した熱要求負荷に対応した状態で、熱源手段から端末への熱供給を断続させることが可能となって、熱源手段から端末に対して端末における熱要求負荷に応じた所望の熱量を供給することが可能となる。
【００１６】
【発明の実施の形態】
本発明にかかる熱媒供給システムを図面に基づいて説明する。
〔第１実施形態〕
この熱媒供給システムは、床暖房装置などの端末２、その端末２に加熱した熱媒を熱媒循環路１を通して供給する熱源手段としての熱源機３、熱媒循環路１を開閉する開閉手段としての熱動弁４、熱源機３の運転および熱動弁４の開閉作動を制御する制御手段としての熱源機側制御部５、端末２に対応して備えられて熱源機側制御部５と通信自在な開閉比率設定手段としての端末側制御部６などを備えて構成されている。
【００１７】
前記熱源機３は、熱媒循環路１の往き側流路１ａおよび戻り側流路１ｂの夫々に接続された熱源機内流路２３の途中に、熱源機内流路２３における熱媒を貯留するシスターン７、端末２に熱媒を循環供給させるための循環ポンプ８、熱源機内流路２３を通流する熱媒をバーナ９の燃焼により加熱する熱交換器１０などを設けて、バーナ９に燃焼用空気を供給するファン１１などを備えて構成されている。
そして、バーナ９に燃料ガスを供給する燃料供給路１２には、燃料ガスの供給を断続する燃料ガス開閉弁１３、燃料ガス供給量を調整する燃料ガス調整弁１４が設けられ、バーナ９に点火するイグナイタ１５およびバーナ９の着火を確認するフレームロッド１６なども設けられている。
【００１８】
前記熱源機内流路２３におけるシスターン７よりも熱媒循環方向の上流側には、その熱媒の温度を検出する戻りサーミスタ２０が設けられ、熱源機内流路２３における熱交換器１０よりも熱媒循環方向の下流側には、その熱媒の温度を検出する往きサーミスタ２１が設けられ、熱媒循環路１の往き側流路１ａには、熱動弁４が設けられている。
そして、熱源機３の運転中において、熱動弁４を開閉することにより、端末２への熱媒の供給を断続するように構成されている。
【００１９】
前記熱源機側制御部５と端末側制御部６とは、熱源機側通信部２０および端末側通信部１８を介して、熱源機３の運転の開始や停止などの指令、および、熱動弁４を閉状態に維持する閉時間と熱動弁４を開状態に維持する開時間との開閉比率などの各種の制御情報を通信自在に構成されている。
【００２０】
前記端末側制御部６は、端末リモコン１７にて熱供給の開始および停止が指令されると、熱源機側制御部５に対して、熱源機３の運転の開始および停止を要求するとともに、熱動弁４を閉状態に維持する閉時間と熱動弁４を開状態に維持する開時間との開閉比率を設定し、その設定された開閉比率設定情報を熱源機側制御部５に送信するように構成されている。
そして、端末側制御部６は、熱源機３から端末２に供給される熱媒の温度が熱媒基準温度（例えば、６０℃）であるとし、その熱媒基準温度を基にして、複数のメモリーの夫々に単一周期（例えば、２０分間）における開時間と閉時間との開閉比率が記憶されており、その複数のメモリーのうち、図外のスイッチなどの人為操作により選択されたメモリーに対応する開閉比率を開閉比率設定情報として設定するようにしている。
【００２１】
前記熱源機側制御部５は、端末側制御部６から熱源機３の運転の開始が要求されると、熱源機３の運転を開始させ、端末側制御部６から熱源機３の運転の停止が要求されると、熱源機３の運転を停止させるように構成されている。
また、熱源機側制御部５は、熱源機３の運転中において、端末２に供給する熱媒の温度が熱媒温度変更手段としての熱媒温度変更用ディップスイッチ２２にて変更された温度になるように、熱源機３の運転を制御するとともに、熱源機側通信部１９にて受信された開閉比率設定情報を開閉比率修正情報に修正する修正処理を実行し、その修正処理において修正された開閉比率修正情報に基づいて、周期的に熱動弁４の開閉作動を制御するように構成されている。
【００２２】
前記熱源機３の運転の開始および停止における熱源機側制御部５の制御動作について説明を加えると、熱源機側制御部５は、熱源機側通信部１９にて熱源機３の運転の開始を指令する制御情報を受信すると、ファン１１を作動させて、燃料ガス開閉弁１３および燃料ガス調整弁１４を開弁させてバーナ９の燃焼を開始するとともに、循環ポンプ８を作動させて、熱源機３の運転を開始するようにしている。
また、熱源機側制御部５は、熱源機側通信部１９にて熱源機３の運転の停止を指令する制御情報を受信すると、燃料ガス開閉弁１３および燃料ガス調整弁１４を閉弁させてバーナ９の燃焼を停止したのち、ファン１１の作動を停止させるとともに、循環ポンプ８の作動を停止させて、熱源機３の運転を停止するようにしている。
【００２３】
前記熱源機３の運転中における熱源機側制御部５の制御動作について説明を加えると、熱源機３から端末２に供給する熱媒の温度が、熱媒温度変更用ディップスイッチ２２により、熱媒基準温度よりも低い低温用熱媒温度（例えば、５０℃）、熱媒基準温度（例えば、６０℃）、熱媒基準温度よりも高い高温用熱媒温度（例えば、７０℃）の３段階に変更可能にされている。
そして、熱源機側制御部５は、熱源機３の運転中において、戻りサーミスタ２０および往きサーミスタ２１の検出情報に基づいて、往きサーミスタ２１の検出温度が熱媒温度変更用ディップスイッチ２２にて設定された熱媒の温度になるように、燃料ガス調整弁１４の開度およびファン１１の回転速度を調整するようにしている。
【００２４】
前記修正処理について説明を加えると、熱源機側制御部５は、熱媒温度変更用ディップスイッチ２２にて変更される熱媒の温度情報に基づいて、その温度が低いほど、閉時間に対して開時間が長くなるように、熱源機側通信部１９にて受信された開閉比率設定情報を開閉比率修正情報に修正するように構成されている。
【００２５】
具体的に説明すると、熱源機側制御部５は、熱媒温度変更用ディップスイッチ２２にて熱媒の温度が低温用熱媒温度に設定されていると、開時間を伸長設定時間（例えば、３分）長くするともに、単一周期も伸長設定時間（例えば、３分）長くして、熱源機側通信部１９にて受信された開閉比率設定情報における単一周期（例えば、２０分）および開時間を長くするように修正した情報を開閉比率修正情報とするようにしている。
そして、熱源機側制御部５は、熱媒温度変更用ディップスイッチ２２にて熱媒の温度が高温用熱媒温度に設定されていると、開時間を短縮設定時間（例えば、２分）短くするとともに、単一周期も短縮設定時間（例えば、２分）短くして、熱源機側通信部１９にて受信された開閉比率設定情報における単一周期（例えば、２０分）および開時間を短くするように修正した情報を開閉比率修正情報とするようにしている。
また、熱源機側制御部５は、熱媒温度変更用ディップスイッチ２２にて熱媒の温度が熱媒基準温度に設定されていると、熱源機側通信部１９にて受信された開閉比率設定情報をそのまま開閉比率修正情報とするようにしている。
【００２６】
このようにして、熱源機側制御部５は、熱媒温度変更用ディップスイッチ２２にて熱媒の温度が変更された熱媒の温度情報に基づいて、開閉比率設定情報を開閉比率修正情報に修正するように修正処理を実行し、その修正処理にて修正された開閉比率修正情報における開時間と閉時間となるように、周期的に熱動弁４の開閉作動を制御して、熱源機３から端末２に供給する熱媒の温度が変化しても、熱源機３から端末２に対して端末２に応じた所望の熱量を供給するように構成されている。
【００２７】
〔第２実施形態〕
この第２実施形態は、上記第１実施形態における熱源機側制御部５の修正処理についての別実施形態を示すものであり、熱源機側制御部５の修正処理について説明する。
ちなみに、その他の構成については、上記第１実施形態と同様であるので、同符号を記すなどにより、その詳細な説明は省略する。
【００２８】
上記第１実施形態では、熱源機側制御部５は、修正処理において、熱媒温度変更用ディップスイッチ２１にて変更される熱媒の温度情報に基づいて、開閉比率設定情報を開閉比率修正情報に修正するように構成されているが、この第２実施形態では、熱源機側制御部５は、修正処理において、熱媒温度検出手段としての往きサーミスタ２１により検出される熱媒の温度情報に基づいて、開閉比率設定情報を開閉比率修正情報に修正するように構成されている。
【００２９】
前記熱源機側制御部５は、往きサーミスタ２１にて検出される熱媒の温度情報に基づいて、その温度が低いほど、閉時間に対して開時間が長くなるように、熱源機側通信部１９にて受信された開閉比率設定情報を開閉比率修正情報に修正するように構成されている。
【００３０】
説明を加えると、熱源機側制御部５は、図２に示すように、開閉比率設定情報における開時間を修正するための開時間の変更率を、往きサーミスタ２１にて検出される熱媒の温度ごとに予め設定されたテーブルとして記憶しておき、このテーブルに基づいて開時間の変更率を設定して、開閉比率設定情報における開時間および単一周期を修正するようにしている。
【００３１】
具体的には、熱源機側制御部５は、６０℃を基準とし、往きサーミスタ２１にて検出される熱媒の温度が６０℃よりも低い温度であると、開閉比率設定情報における開時間および単一周期を、その開時間および単一周期よりも長くなるように修正し、往きサーミスタ２１にて検出される熱媒の温度が６０℃よりも高い温度であると、開閉比率設定情報における開時間および単一周期を、その開時間および単一周期よりも短くなるように修正するようにしている。
例えば、往きサーミスタ２１にて検出される熱媒の温度が５０℃であると、熱源機側制御部５は、開閉比率設定情報における開時間を、その開時間の１３０％の時間に修正するとともに、単一周期も、その単一周期の１３０％の時間に修正した情報を、開閉比率修正情報とするようにしている。
【００３２】
ちなみに、この第２実施形態では、熱源機３から供給する熱媒の温度を、４５℃、５０℃、５５℃、６０℃、６５℃、７０℃の６段階に変更自在に構成しているが、上記第１実施形態と同様に、熱媒温度変更用ディップスイッチ２２を備え、その熱媒温度変更用ディップスイッチ２２にて熱源機３から端末２に供給する熱媒の温度を６段階に変更自在に構成するようにしている。
【００３３】
〔第３実施形態〕
この第３実施形態は、上記第２実施形態における熱源機側制御部５の修正処理についての別実施形態を示すものであり、熱源機側制御部５の修正処理について説明する。
ちなみに、その他の構成については、上記第１実施形態と同様であるので、同符号を記すなどにより、その詳細な説明は省略する。
【００３４】
上記第２実施形態では、熱源機側制御部５は、修正処理において、予め設定されたテーブルに基づいて開時間の変更率を設定して、その開時間の変更率を用いて、開閉比率設定情報における開時間のみを修正するようにしているが、この第３実施形態では、熱源機側制御部５は、修正処理において、開時間の変更率を演算により求めて、その開時間の変更率を用いて、開閉比率設定情報における開時間のみを修正するようにしている。
【００３５】
説明を加えると、熱源機側制御部５は、修正処理において、往きサーミスタ２１にて検出する熱媒の温度Ｅ、および、端末２における雰囲気温度Ｆにより端末２における熱要求負荷を検出して、熱媒の温度情報および端末２における熱要求負荷情報に基づいて、下記の〔数１〕による演算によって開時間の変更率Ａを求め、その開時間の変更率Ａに基づいて開閉比率設定情報における開時間のみを修正して、開閉比率設定情報を開閉比率修正情報に修正するように構成されている。
なお、端末２における雰囲気温度については、室温センサによる検出温度、雰囲気設定温度（例えば、２０℃）、または、外気温度のいずれかの温度を用いていることが可能であり、熱源機側制御部５は、端末２における雰囲気温度の温度情報を、端末側制御部６との通信により受信するように構成されている。
【００３６】
【数１】
Ａ＝１００×｛（６０−Ｆ）＋α｝／Ｅ
Ａは、開時間の変更率
Ｅは、往きサーミスタ２１にて検出する熱媒の温度
Ｆは、端末２における雰囲気温度
αは、温度定数であり、例えば、２０℃
【００３７】
説明を加えると、熱源機側制御部５は、往きサーミスタ２１にて検出される熱媒の温度情報に基づいて、その温度が低いほど、閉時間に対して開時間が長くなるように、かつ、端末２における熱要求負荷を検出して、その熱要求負荷が大きいほど、閉時間に対して開時間が長くなるように、開閉比率設定情報を開閉比率修正情報に修正するように構成されている。
【００３８】
具体的に説明すると、例えば、端末２における雰囲気温度Ｆが２０℃のときには、上記〔数１〕により、往きサーミスタ２１にて検出する熱媒の温度Ｅが５０℃で開時間の変更率Ａが１２０％となり、往きサーミスタ２１にて検出する熱媒の温度Ｅが６０℃で開時間の変更率Ａが１００％となり、往きサーミスタ２１にて検出する熱媒の温度Ｅが７０℃で開時間の変更率Ａが８６％となって、往きサーミスタ２１にて検出される熱媒の温度情報に基づいて、その温度が低いほど、閉時間に対して開時間が長くなるように、開閉比率設定情報を開閉比率修正情報に修正するようにしている。
また、例えば、往きサーミスタ２１にて検出する熱媒の温度Ｅが６０℃のときには、上記〔数１〕により、端末２における雰囲気温度Ｆが３０℃で開時間の変更率Ａが８３％となり、端末２における雰囲気温度Ｆが２０℃で開時間の変更率Ａが１００％となり、端末２における雰囲気温度Ｆが１０℃で開時間の変更率Ａが１１７％となって、その熱要求負荷が大きいほど、閉時間に対して開時間が長くなるように、開閉比率設定情報を開閉比率修正情報に修正するようにしている。
【００３９】
〔別実施形態〕
（１）上記第１実施形態では、熱源機側制御部５が、修正処理において、熱媒温度変更用ディップスイッチ２２にて変更された熱媒の温度に基づいて、開時間を伸長設定時間（例えば、３分）長くしたり、開時間を短縮設定時間（例えば、２分）短くして、開閉比率設定情報を開閉比率修正情報に修正するように構成されているが、修正処理における熱源機側制御部５の制御構成については適宜変更が可能である。
【００４０】
例えば、熱源機側制御部５は、図２に示すように、開閉比率設定情報における開時間を修正するための開時間の変更率を、熱媒温度変更用ディップスイッチ２２にて変更される熱媒の温度ごとに予め設定されたテーブルとして記憶しておき、このテーブルに基づいて開時間の変更率を設定して、その開時間の変更率を用いて、開閉比率設定情報における開時間および閉時間のうち、開時間のみを修正するようにして実施することも可能である。
この場合には、熱源機３から端末２に供給する熱媒の温度を、熱媒温度変更用ディップスイッチ２２にて、４５℃、５０℃、５５℃、６０℃、６５℃、７０℃の６段階に変更自在に構成されている。
【００４１】
また、熱源機側制御部５は、開時間の変更率を演算により求めて、その開時間の変更率を用いて、開閉比率設定情報における開時間のみを修正するようにして実施することも可能である。
例えば、上記〔数１〕において、Ｅを熱媒温度変更用ディップスイッチ２２にて変更される熱媒の温度とし、上記〔数１〕を用いて、開時間の変更率を演算により求めることが可能である。
【００４２】
（２）上記第３実施形態では、熱源機側制御部５が、修正処理において、上記〔数１〕に演算によって開時間の変更率Ａを求めるようにしているが、開時間を求める演算式は、上記〔数１〕に限られるものではなく、例えば、下記〔数２〕などその他の演算式でもよい。
【００４３】
【数２】
Ａ＝１００×６０／Ｅ
Ａは、開時間の変更率
Ｅは、往きサーミスタ２１にて検出する熱媒の温度
【００４４】
（３）上記第１〜３実施形態では、熱源機側制御部５は、修正処理において、開閉比率設定情報における開時間および単一周期を修正するようにしているが、熱源機側制御部５は、修正処理において、開閉比率設定情報における閉時間および単一周期を修正したり、あるいは、開閉比率設定情報における閉時間および開時間を修正するように構成することも可能である。
すなわち、熱源機側制御部５は、修正処理において、熱源機３から端末２に供給する熱媒の温度情報に基づいて、その温度が低いほど、閉時間に対して開時間が長くなるように、開閉比率設定情報を開閉比率修正情報に修正するものであればよい。
【００４５】
（４）上記第１〜３実施形態では、端末２をひとつ備え、熱動弁４および端末側制御部６もひとつ設けるものを例示したが、端末２を複数備えて、それら複数の端末２の夫々に対応して熱動弁４および端末側制御部６を設けるものでもよく、端末２の数については適宜変更が可能である。
ちなみに、端末２を複数備えるものでは、熱源機側制御部５が、すべての端末側制御部６からの開閉比率設定情報を開閉比率修正情報に修正して、すべての熱動弁における開閉比率を修正したり、あるいは、熱源機３から供給される熱媒の温度が変更される端末に対応する端末側制御部６からの開閉比率設定情報のみを開閉比率修正情報に修正して、一部の熱動弁における開閉比率を修正するようにして実施することが可能である。
【００４７】
（６）上記第２実施形態では、熱源機側制御部５は、修正処理において、往きサーミスタ２１により検出される熱媒の温度情報に基づいて、開閉比率設定情報を開閉比率修正情報に修正するようにしているが、熱源機側制御部５は、修正処理において、熱媒温度変更用ディップスイッチ２２にて変更される熱媒の温度情報に基づいて、開閉比率設定情報を修正し、さらに、往きサーミスタ２１により検出される熱媒の温度情報に基づいて、その修正された情報を開閉比率修正情報に修正するようにすることも可能である。
すなわち、熱源機側制御部５は、修正処理において、開閉比率設定情報を開閉比率修正情報に修正するための温度情報については、ひとつの温度情報に限らず、複数の温度情報でもよく、適宜変更が可能である。
【００４８】
（７）上記第１〜３実施形態では、本発明にかかる熱媒供給システムを、熱源機３からひとつの端末２に対して熱媒を供給する熱源機３を備えた熱媒供給システムに適応した例を示したが、例えば、低温端末に低温熱媒を供給するとともに、高温端末に高温熱媒を供給する２温度式の熱源機を備えた熱媒供給システムなど、その他各種の熱媒システムに適応することが可能である。
また、熱源機３についても、バーナ９の燃焼により加熱した熱媒を端末２に供給するものに限らず、例えば、電気ヒータにより加熱した熱媒を端末に供給するものなど、その他各種の熱源機が適応可能である。
【図面の簡単な説明】
【図１】熱媒供給システムの全体概略図
【図２】往きサーミスタの検出温度と開時間の変更率との関係を示すテーブル
【図３】従来技術における熱媒供給システムの全体概略図
【符号の説明】
１              熱媒循環路
２              端末
３              熱源手段
４              開閉手段
５              制御手段
６              開閉比率設定手段
２１            熱媒温度検出手段
２２            熱媒温度変更手段
【図１】
0003926188.tif 000002
【図２】
0003926188.tif 000003
【図３】
0003926188.tif 000004